(57)【要約】      （修正有）【課題】軽量・コンパクトに携行可能であり、しかも着脱容易である上、和服の装いを崩さず、振り袖などの正装にもふさわしく、草履や足袋を確実に防水可能とする和装用雨具を提供する。【解決手段】ミッドソール２を設け、ミッドソール全周縁に対し、通気・防水性の柔軟性撥水生地からなり、履き口３４を有するアッパーカバー３を一体化して防水カバー本体とし、防水カバー本体内がわに軟質素材製容器形の防水インソール器６を内装すると共に、アッパーカバーの防水インソール器全周囲上縁付近から、履き口周縁に到達する範囲を、密閉・開閉機構を有して対をなす開閉羽根部７とした上、防水カバー本体のミッドソール２外面に、防水・弾性・耐摩耗素材製のアウトソール８を貼着した和装草履用雨具である。【選択図】図２
0003205559.tif 000002
【実用新案登録請求の範囲】
【請求項１】
対象和装用草履の底革よりも僅かに大きい寸法、形状に設定したミッドソールを有し、該ミッドソール全周縁に対し、通気・防水性の柔軟性撥水生地からなり、対象和装用草履およびそれを履いた人体の趾骨から踵骨および外・内果の上下間付近に及ぶ上下間範囲を覆い得る寸法、形状に連続させた爪先部、甲部、左右側部および踵部を付与させたものとして該人体の足首付近まで延伸させた上、該人体の足首付近周囲に相当する履き口を開口し、同履き口適所に緊締用足首ベルトを設けたアッパーカバーを一体化されて袋状の防水カバー本体とし、該防水カバー本体内がわのミッドソール内面、および、該ミッドソール内面全周縁からアッパーカバー内面の対象和装用草履の高さと同等か、または、それを僅かに超える高さかの何れかとした軟質素材製容器形の防水インソール器を内装させると共に、該防水カバー本体アッパーカバーの防水インソール器全周囲上縁付近の少なくとも一箇所から、前記履き口全周縁の少なくとも適宜一箇所に到達する帯状範囲を、密閉・開閉機構を境にして対をなす開閉羽根部とされた上、該防水カバー本体ミッドソール外面に、防水・弾性・耐摩耗素材製のアウトソールが貼着されてなるものとしたことを特徴とする和装草履用雨具
【請求項２】
防水カバー本体のミッドソールおよびアッパーカバーの中、少なくともアッパーカバーが、通気・防水性の熱可塑性皮膜を積層した柔軟性撥水生地からなり、少なくともミッドソールおよびアッパーカバーの互いの結合部分に、糊代型の帯状結合部分を設け、互いの帯状結合部分を重ね合わせて熱熔着・防水加工部としてなるものとした、請求項１記載の和装草履用雨具。
【請求項３】
開閉羽根部が、防水カバー本体アッパーカバー爪先部先端の防水インソール器全周囲上縁付近から、甲部左右端間中央付近を通り、履き口の前がわ左右端間の略中央となる位置に到達する境界線を境に、左右一対をなし、同左右対の開閉羽根部間の密閉・開閉機構が、少なくとも左右何れか一方の開閉羽根部内側に対し、通気・防水性の柔軟性撥水生地からなる縦帯状体の基端縁を結合し、同縦帯状体の遊端縁がわを、左右何れか他方の開閉羽根部内側に重なるよう延伸してなるフラップを有すると共に、左右開閉羽根部の対峙縁間には、その上下端間に渡って線ファスナーが設けられた上、該線ファスナーの上端付近であってアッパーカバー履き口付近となる位置には、面ファスナーを有する緊締用足首ベルトが、左右開閉羽根部間に跨ぐよう設けられてなるものとした、請求項１または２何れか一記載の和装草履用雨具。
【請求項４】
防水カバー本体アッパーカバー表面の爪先部、甲部および左右側部、またはアッパーカバーの略全部の少なくとも何れか一方に対し、和服用生地同様の１色または複数色何れか一方の色、および和服用生地同様の柄の少なくとも何れか一方が表示されてなるものとした、請求項１ないし３何れか一記載の和装草履用雨具。
【考案の詳細な説明】
【技術分野】
【０００１】
この考案は、荒天の際に身に着ける雨具類の技術に関連するものであり、特に、和装用に供する雨具を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
毎年、成人の日には、振り袖に足袋、草履という正装を整えて成人式に向かう新成人を目にすることができるが、雨や雪などの荒天となってしまうと、和服の裾に雨水などを吸って汚れてしまったり、足袋に水が染み込んだり、草履の革底が水を吸って傷んでしまったりすることがあり、折角揃えた晴れ着が、濡れたまま、汚れたままで式に臨むこととなってしまい、一生に一度のハレの日にも関わらず、非常に残念な思いをしなければならないこととなっていた。
【０００３】
（従来の技術）
こうした状況を反映し、その打開策となるような提案もこれまでに散見されない訳ではない。
例えば、下記の特許文献１（１）に提案されているものに代表されるように、上面で靴の底を受けるソール部と、その周縁部から略垂直に立ち上がるように当該ソール部と下端側が全周に亘って連続した筒状の靴包囲部とが、弾性変形容易なゴム素材で一体に形成され、且つ、靴包囲部は、その上端部分の周方向の伸長が伸縮抑制リブ（伸縮抑制部）によって抑制されており、また、ソール部底面のコルゲーション（易伸縮部）を間に挟んだつま先側と踵側には、下面が平坦な複数の凸部からなるトレッドパターンが形成され、これらのトレッドパターンを構成する凸部の少なくとも一部の下面には歩行面の油分を吸収して滑り難くするフェルト材が固着され、靴底を受けるソール部と靴の周囲を覆う靴包囲部が弾性伸縮変形容易なゴム素材によって一体に形成されているため、防水性と耐久性に優れ、様々なサイズの靴に対応することができ、また、汚れが付着しにくく、汚れが付着した場合にも、靴に装着したしたままで簡単に落とすことができるようにしてなるものや、同特許文献１（２）に見られるような、略筒状の基本形態を備え、靴の靴底部側面から靴の甲の部分に対応したアッパー部の周囲を覆うことができるカバー体であって、カバー体のアッパー部に対応したアッパーカバー部と、靴の靴底部側面に対応した靴底カバー部とが、伸縮素材により形成されることで、アッパー部と靴底部側面とに対して、圧接するようにされており、かつ、靴底カバー部が靴底部側面に対して圧接する圧接力よりも、アッパーカバー部がアッパー部の周囲に対して圧接する圧接力が弱くなるように設定されているものとし、装着によって靴のアッパー部に水などが付着するのを防止し、上端開口から足を挿入することができるようにしたものなどが散見される。
【０００４】
しかし、前者特許文献１（１）に示されているような防水性・防汚性に優れたオーバーシューズ類は、異なるサイズの靴にも伸縮して装着可能となっているも、ソール部全周縁から靴包囲部が、略垂直に立ち上がる形状となっていることから、装着した靴の甲部や装着者の足首付近に降雨や降雪、跳ねて落下する水滴などが付着し易くなる外、強風を伴う雨や近くを走行する車両が跳ね上げた水飛沫などを受けてしまうと防水機能を果たせなくしてしまうという欠点があり、また、後者特許文献１（２）のように、降雨や積雪、跳ねて落下する水滴などから、靴のアウトソールを除く全体、および装着者の足首付近までをカバーすることができるという利点を有してはいるものの、靴のアウトソールが外部に露出してしまっているため、和装の草履に着用した場合には、革底に水が浸透したり、鼻緒を通す孔を通じて雨水が流入してしまったりするなど、足袋を濡らしてしまうばかりでなく、草履自体を劣化させてしまう虞があるという致命的な欠点などもあった。                    
【特許文献１】（１）特開２０１２−２７５号公報    （２）特開２００４−２３００３５号公報
【考案の概要】
【考案が解決しようとする課題】
【０００５】
（問題意識）
上述したとおり、従前までに提案のある各種靴用の雨具類は、それ自体で何れも雨や雪に対してある程度の防水性を有する靴などを装着対象として開発されたものであることから、それらを和装用の草履にそのまま転用するのは困難な上、なんとか草履に装着したとしても、足袋や草履に雨水を浸透させてしまったり、汚れを付着させてしまうといった不具合を避けることはできず、さらに、晴れ着などの和服には独特の柄や生地の質感を有しており、それに対して合成樹脂製の成型品などからなるシューズカバーでは相応しくないという理由などもあり、実際には、こうしたカバー類は殆ど利用されることがなく、積雪や降雨の中、歩行移動中に草履、足袋のみならず着物の裾まで雨水や雪解け水などを受けて、折角の晴れ着を台無しにしてしまうこととなってしまい、特に成人式など我が国の伝統的な行事において、こうした残念な状況を目にする度ごとに、和装を荒天から保護できて、しかも晴天時には気軽に携行し、天気の変化に応じて即座に着用することができるようにした新たな和装用雨具の開発、実用化への思いを募らせることとなった。
【０００６】
（考案の目的）
そこで、この考案は、軽量・コンパクトに携行可能であり、しかも着脱容易である上、和服の装いを崩さず、振り袖などの正装にも相応しく、草履や足袋を確実に防水可能とする新たな和装用雨具技術の開発はできないものかとの判断から、逸速くその開発、研究に着手し、長期に渡る試行錯誤と幾多の試作、実験とを繰り返してきた結果、今回、遂に新規な構造の和装草履用雨具を実現化することに成功したものであり、以下では、図面に示すこの考案を代表する実施例と共に、その構成を詳述することとする。                      
【課題を解決するための手段】
【０００７】
（考案の構成）
図面に示すこの考案を代表する実施例からも明確に理解されるように、この考案の和装草履用雨具は、基本的に次のような構成から成り立っている。
即ち、対象和装用草履の底革よりも僅かに大きい寸法、形状に設定したミッドソールを有し、該ミッドソール全周縁に対し、通気・防水性の柔軟性撥水生地からなり、対象和装用草履およびそれを履いた人体の趾骨から踵骨および外・内果の上下間付近に及ぶ上下間範囲を覆い得る寸法、形状に連続させた爪先部、甲部、左右側部および踵部を付与させたものとして該人体の足首付近まで延伸させた上、該人体の足首付近周囲に相当する履き口を開口し、同履き口適所に緊締用足首ベルトを設けたアッパーカバーを一体化されて袋状の防水カバー本体とし、該防水カバー本体内がわのミッドソール内面、および、該ミッドソール内面全周縁からアッパーカバー内面の対象和装用草履の高さと同等か、または、それを僅かに超える高さかの何れかとした軟質素材製容器形の防水インソール器を内装させると共に、該防水カバー本体アッパーカバーの防水インソール器全周囲上縁付近の少なくとも一箇所から、前記履き口全周縁の少なくとも適宜一箇所に到達する帯状範囲を、密閉・開閉機構を境にして対をなす開閉羽根部とされた上、該防水カバー本体ミッドソール外面に、防水・弾性・耐摩耗素材製のアウトソールが貼着されてなるものとした構成を要旨とする和装草履用雨具である。                                                                  
【考案の効果】
【０００８】
以上のとおり、この考案の和装草履用雨具によれば、従前までのものとは違い、上記したとおりの固有の特徴ある構成から、和服を着用して外出する場合に、その柔軟性を活かして軽量コンパクトに折り畳み、ハンドバッグなどに収納して負担感無く気軽に携帯することが可能となり、荒天に見舞われたときには簡単、迅速に着用し、その優れた防水性によって降雨、積雪から、利用者が着用する対象和装用草履および足袋を確実に防水および防汚できるものとなり、さらに、防水インソール器が対象和装用草履を水との接触や浸透による汚損などを確実に防止することができる上、アウトソールが、防水性、クッション性を高め、水たまりや雪道のスリップを防止し、歩行の安全性を格段に高めるものになるという優れた特徴が得られるものである。
【０００９】
加えて、ミッドソールおよびアッパーカバーの互いの結合部分に、糊代型の帯状結合部分を設け、互いの帯状結合部分を重ね合わせて熱熔着・防水加工部としてなるものとしたことにより、生地同士の結合部からの親水を、より確実に防止して、より高い防水性能を達成できる上、縫製や接着という工数の多い工程を不要として生産コストを大幅削減することができるものとなる。
【００１０】
さらに、開閉羽根部が、防水カバー本体アッパーカバー爪先部先端の防水インソール器全周囲上縁付近から、甲部左右端間中央付近を通り、履き口の前がわ左右端間の略中央となる位置に到達する境界線を境に、左右一対をなし、同左右対の開閉羽根部間の密閉・開閉機構が、少なくとも左右何れか一方の開閉羽根部内側に対し、通気・防水性の柔軟性撥水生地からなる縦帯状体の基端縁を結合し、同縦帯状体の遊端縁がわを、左右何れか他方の開閉羽根部内側に重なるよう延伸してなるフラップを有すると共に、左右開閉羽根部の対峙縁間には、その上下端間に渡り線ファスナーを設けた上、該線ファスナーの上端付近であってアッパーカバー履き口付近となる位置には、面ファスナーを有する緊締用足首ベルトを、左右開閉羽根部間に跨ぐよう設けてなるものとしたから、履き口から爪先部まで大きく開口させて、殆ど変形しない対象和装用草履を履いたままの状態でも素早く着用し、線ファスナーを閉鎖してしまえば、直ぐに防水機能を発揮するものとなり、足首ベルトを閉じて履き口と着用者の足首との隙間を閉じると、一段と確実な防水性能を達成可能なものとなる。
【００１１】
そして、アッパーカバー表面の爪先部、甲部および左右側部、またはアッパーカバーの略全部の少なくとも何れか一方に対し、和服用生地同様の１色または複数色何れか一方の色、および、和服用生地同様の柄の少なくとも何れか一方を表示してなるものとすることにより、和服に良く調和して荒天下の装いを華やかなものとすることができるという効果が得られる。                                                                                                  
【考案を実施するための最良の形態】
【００１２】
上記したとおりの構成からなるこの考案の実施に際し、その最良もしくは望ましい形態について説明を加えることにする。
防水カバー本体は、対象和装用草履およびそれを履いた人体の趾骨から踵骨および外・内果の上下間付近に及ぶ上下間範囲を、柔軟性をもって通気・防水するよう覆う機能を担うものであり、ミッドソールを設け、該ミッドソール全周縁に対して、通気・防水性の柔軟性撥水生地からなるアッパーカバーを一体化して袋状のものとしなければならず、ミッドソールおよびアッパーカバーの双方を通気・防水性の柔軟性撥水生地からなるものとすることができ、後述する実施例にも示すように、ミッドソールおよびアッパーカバーの中、少なくともアッパーカバーが、通気・防水性の熱可塑性皮膜を積層した柔軟性撥水生地からなり、少なくともミッドソールおよびアッパーカバーの互いの結合部分に、糊代型の帯状結合部分を設け、互いの帯状結合部分を重ね合わせて熱熔着・防水加工部としてなるものとするのが望ましく、さらに、アッパーカバー表面の一部または全体の何れか一方に対し、和服用生地同様の１色または複数色何れか一方の色、および、和服用生地同様の柄の少なくとも何れか一方を表示してなるものとするのが良く、この考案の和装草履用雨具は、左右一組を一足とし、左右同一形状のものとして左右供用および左右交換利用可能なものとすることができる外、左右夫々専用形状のものとすることができる。
【００１３】
防水カバー本体のミッドソールは、高い防水性を有して防水カバー本体の底部となるようアッパーカバーと一体化し、対象和装用草履の底面からの圧力や、アッパーカバーからの張力などを充分な強度をもって受け止め、安全且つ容易な歩行を可能とするよう充分な強度を発揮すると共に、内がわ上面に防水インソール器の下面を受け、外がわ下面にアウトソールを一体化可能とする重要な機能を担うものであり、対象和装用草履の底革より僅かに大きい寸法、形状に設定したものとしなければならず、防水インソール器およびアウトソールを接着剤や熱熔着などによって強固に一体化したものとすることができる外、防水インソール器を着脱・交換自在に装着してなるものとすることが可能であり、通気・防水性の柔軟性撥水生地からなるものとするのが良い。
【００１４】
防水カバー本体のアッパーカバーは、通気・防水性を発揮し、ミッドソールと一体化して防水カバー本体の上部となり、適所が履き口およびそれに続く開閉羽根部となり、草履を履いた利用者の着脱、および装着中の歩行を安全且つ容易に行えるようにするという重要な機能を担っており、通気・防水性の柔軟性撥水生地からなり、対象和装用草履およびそれを履いた人体の趾骨から踵骨および外・内果の上下間付近に及ぶ上下間範囲を覆う寸法、形状に連続した爪先部、甲部、左右側部および踵部を有して該人体の足首付近まで延伸し、該人体の足首付近周囲に相当する履き口を開口し、同履き口適所に緊締用足首ベルトを設けてなり、該アッパーカバー下端周縁をミッドソール全周縁に一体化して袋状とすることができるものとしなければならず、後述する実施例にも示しているように、通気・防水性の熱可塑性皮膜を積層した柔軟性撥水生地からなるものとすることができ、表面の爪先部、甲部および左右側部、またはアッパーカバーの略全部の少なくとも何れか一方に対し、和服用生地同様の１色または複数色何れか一方の色、および、和服用生地同様の柄の少なくとも何れか一方を表示してなるものとするのが良く、例えば、和服の色・柄に合わせた、プリント生地、染め生地、織物、および、合成樹脂製シート（フィルム）、およびそれらの組み合わせからなる生地類からなるもの中、少なくとも何れか一つからなるものとすることができ、より具体的には、ゴアテックス（ＧＯＲＥ・ＴＥＸ：登録商標)、ドライテック（ＤＲＹ−ＴＥＣ:登録商標）などの防水透湿性素材製のものとすることができる。
【００１５】
熱熔着・防水加工部は、防水カバー本体を袋状に一体化する場合の結合部分となり、複数のシート状部品同士を一体化し、その結合部分から水や塵埃などが浸入しないように保護する機能を担うものであって、例えば、防水カバー本体のミッドソールおよびアッパーカバーの中、少なくともアッパーカバーが、通気・防水性の熱可塑性皮膜を積層した柔軟性撥水生地からなるものとした場合に、少なくともミッドソールおよびアッパーカバーの互いの結合部分に、糊代型の帯状結合部分を設け、互いの帯状結合部分を重ね合わせ、該熱可塑性皮膜を利用した熱熔着によって一体化してなるものとすることができる外、糊代型の帯状結合部分間に、熱熔着用の熱可塑性合成樹脂膜を挟み、重ね合わせて熱用着結合してなるものとすることが可能である。
【００１６】
開閉羽根部は、利用者が草履を履いたまま、当該和装草履用雨具を着用する場合に、防水カバー本体アッパーカバーの履き口を容易に拡張可能とし、さらに、容易に閉じ合わせてアッパーカバーを袋状に形状復帰可能とする機能を担うものであり、防水カバー本体アッパーカバーの防水インソール器全周囲上縁付近の少なくとも一箇所から、前記履き口全周縁の少なくとも適宜一箇所に到達する帯状範囲を、密閉・開閉機構を境に有して対をなすものとしなければならず、後述する実施例にも明確に示してあるが、防水カバー本体アッパーカバー爪先部先端の防水インソール器全周囲上縁付近から、甲部左右端間中央付近を通り、履き口の前がわ左右端間の略中央となる位置に到達する境界線を境に、左右一対をなし、同左右対の開閉羽根部間の密閉・開閉機構が、少なくとも左右何れか一方の開閉羽根部内側に対し、通気・防水性の柔軟性撥水生地からなる縦帯状体の基端縁を結合し、同縦帯状体の先端縁を、左右何れか他方の開閉羽根部内側に重なるよう延伸してなるフラップを有すると共に、左右開閉羽根部の対峙縁間には、その上下端間に渡り線ファスナーを設けた上、該線ファスナーの上端付近であってアッパーカバー履き口付近となる位置には、面ファスナーを有する緊締用足首ベルトを、左右開閉羽根部間に跨ぐよう設けてなるものとするのが望ましい。
【００１７】
足首ベルトは、防水カバー本体アッパーカバーの履き口を装着者の足首周囲に合わせて引き締め、不用意に離脱、脱落してしまわないよう脱着自在に仮止め可能とすると共に、装着者の足首と履き口との隙間から雨水や降雪などが浸入しないよう閉じるようにする機能を分担するものであり、アッパーカバー履き口付近となる位置に、面ファスナーを有する緊締用足首ベルトを、左右開閉羽根部間に跨ぐよう設けてなるものとするのが望ましく、バックルを有するバンドや、アッパーカバーの履き口の縁部付近に沿って配した巾着袋の紐のよう締め紐などとすることができる。
【００１８】
防水インソール器は、防水カバー本体のミッドソールおよびアッパーカバーの、着用者の草履底面から足袋（足）底付近が配する範囲に略相当する底面および周囲壁の防水性を強化する機能を担い、さらに、バンパーのような干渉材やクッション材となる機能を分担するものとすることができ、該防水カバー本体内がわのミッドソール内面、および、該ミッドソール内面全周縁からアッパーカバー内面の対象和装用草履の高さと同等か、または、それを僅かに超える高さの軟質素材製容器形のものとすべきであり、ミッドソール内がわ上面に一体的に接着または熔着したものとすることができる外、防水カバー本体内に脱着自在に装着してなるものとすることができ、アッパーカバーよりも耐久強度に優れた合成樹脂成形品などの防水性素材製のものとするのが望ましい。
【００１９】
アウトソールは、防水カバー本体ミッドソールの底面外がわを補強し、防水性、耐久強度、クッション性を高め、さらに滑り止めとなる機能を担うものであり、天然ゴム、合成ゴム、軟質合成樹脂、独立発泡合成樹脂などの弾性素材製とするのが良く、外がわ下面（接地底面）に滑り止めおよび排水用の凹凸部を設けたシート状のものとし、上面をミッドソールの底面外がわに接着または熔着するなどして強固に一体化したものとすべきであるが、踵に対応する部分を下向きに突出させた靴底形状のものとすることが可能であり、さらにまた、フェルトや圧縮紙などの心材やクッション性素材製シートなどを防水・摩擦用の合成樹脂シートや皮膜類で外装してなるもの等とすることが可能である。
以下では、図面に示すこの考案を代表する実施例と共に、その構造について詳述することとする。                                                                                            
【図面の簡単な説明】
【００２０】
図面は、この考案の和装草履用雨具、および該和装草履用雨具に合わせて利用可能な振り袖和装用雨具の技術的思想を具現化した代表的な幾つかの実施例を示すものである。
【図１】和装草履用雨具を示す斜視図である。
【図２】防水インソール器を着脱可能な和装草履用雨具を示す斜視図である。
【図３】右足用和装草履用雨具を左右外がわから見た側面図である。
【図４】右足用和装草履用雨具を断面化して左右外がわから見た側面図である。
【図５】右足用和装草履用雨具を左右内がわから見た側面図である。
【図６】右足用和装草履用雨具を断面化して左右内がわから見た側面図である。
【図７】右足用和装草履用雨具を示す正面図である。
【図８】右足用和装草履用雨具を示す背面図である。
【図９】右足用和装草履用雨具を示す平面図である。
【図１０】右足用和装草履用雨具を示す底面図である。
【図１１】折り畳み携行状態とした和装草履用雨具を示す斜視図である。
【図１２】着用操作中の右足用和装草履用雨具を示す斜視図である。
【図１３】着用状態の右足用和装草履用雨具を示す斜視図である。
【図１４】振り袖和装用雨具を示す斜視図である。
【図１５】振り袖和装用雨具の着用状態を示す斜視図である。
【実施例１】
【００２１】
図１ないし図１３に示す事例は、ミッドソール２を設け、該ミッドソール２全周縁に対し、通気・防水性の柔軟性撥水生地からなり、履き口３４を有するアッパーカバー３を一体化して防水カバー本体１０とし、該防水カバー本体１０内がわに軟質素材製容器形の防水インソール器６を内装すると共に、該防水カバー本体１０アッパーカバー３の防水インソール器６全周囲上縁付近から、前記履き口３４周縁に到達する範囲を、密閉・開閉機構７０を有して対をなす開閉羽根部７とした上、該防水カバー本体１０ミッドソール２外面に、防水・弾性・耐摩耗素材製のアウトソール８を貼着してなるものとした、この考案の和装草履用雨具における代表的な一実施例を示すものである。
【００２２】
それら各図からも明確に把握できるとおり、この考案の和装草履用雨具１は、その防水カバー本体１０が、対象和装用草履Ｚの底革Ｚ０より僅かに大きい寸法、形状に設定した通気・防水性の柔軟性撥水生地からなるミッドソール２を設け、該ミッドソール２の全周縁に対し、和服用生地同様色・柄のプリントを表面がわに施した通気・防水性の柔軟性撥水生地からなり、対象和装用草履Ｚおよびそれを履いた人体Ｈの趾骨Ｈ０から踵骨Ｈ１および外・内果Ｈ２，３の上下間付近に及ぶ上下間範囲を覆う寸法、形状に連続した爪先部３０、甲部３１、左右側部３２，３２および踵部３３を有して該人体Ｈの足首Ｈ４付近まで延伸し、該人体Ｈの足首Ｈ４付近周囲に相当する履き口３４を開口したアッパーカバー３を、一体化し、袋状の防水カバー本体１０としたものである。
【００２３】
図４および図６中に破線で示すように、当該ミッドソール２の全周縁、および、アッパーカバー３下端全周縁の互いの結合縁部分には、糊代形の帯状結合部分４，４を設け、それら帯状結合部分４，４同士を重ね合わせて、互いの熱可塑性樹脂層を利用して熱用着し、熱熔着・防水加工部４としてあり、また、図示していないが、アッパーカバー３が、ミッドソール２の全周縁から防水インソール器６の全高外側周囲に及ぶ範囲を覆う左右対のアッパー下部カバー部と、該左右対のアッパー下部カバー部の上端縁から履き口３４までとなる左右対のアッパー上部カバー部とを、互いの対峙縁部同士間に、糊代形の帯状結合部分４，４を設け、それら帯状結合部分４，４同士を重ね合わせて、互いの熱可塑性樹脂層を利用して熱用着し、熱熔着・防水加工部４とし、一つのアッパーカバー３とするようにしたものとすることが可能であり、左右対のアッパーカバー３，３の結合部分は、図８および図１３に示すように、例えば、左右対のアッパーカバー３，３の踵骨Ｈ１から足首Ｈ４付近に相当する踵部３３下端の左右間中央から、履き口３４後部左右間中央に達する左右アッパーカバー生地３，３の縦帯状範囲に、糊代形の帯状結合部分４，４を設け、左右双方の帯状結合部分４，４同士を重ね合わせて熱用着し、熱熔着・防水加工部４としたものとすることができる。
【００２４】
該防水カバー本体１０内がわのミッドソール２内面（天面）、および、該ミッドソール２内面全周縁からアッパーカバー３内面の対象和装用草履Ｚの高さを僅かに超える高さの軟質素材製容器形の防水インソール器６を接着剤または熱熔着によって一体化するよう内装し、さらに、該防水カバー本体１０ミッドソール２外面（底面）には、該ミッドソール２外面（底面）に略一致する輪郭形状とし、接地底面に滑り止め用凹凸形状を刻設してなる、防水・弾性・耐摩耗性の天然ゴムまたは合成樹脂製のアウトソール８を接着剤または熱熔着によって貼着してなるものとしてある。
【００２５】
当該防水カバー本体１０アッパーカバー３爪先部３０の防水インソール器６爪先端上端縁付近に対応する位置から、甲部３１の左右間中央、および、左右側部３２，３２の左右前端間中央を辿り、前記履き口３４周縁の前左右間中央に到達する、縦線状を境界とする左右縁を、左右開閉羽根部７，７とし、該左右開閉羽根部７，７の何れか一方の内側に対し、通気・防水性の柔軟性撥水生地からなる縦帯状体７１の基端縁を縦設するよう接着剤または熱熔着によって結合し、同縦帯状体７１の遊端縁がわを、左右何れか他方の開閉羽根部７内側に重なるよう延伸してなるフラップ７１を有すものとし、さらに、該左右開閉羽根部７，７の対峙縁間には、その上下端間に渡り、上端務歯を開放可能とする線ファスナー７２を設け、さらにまた、該左右開閉羽根部７，７の履き口３４に臨む上端縁角の外周壁には、左右内側となる外周壁にループ面ファスナー５０を接着剤または熱熔着によって積層状に一体化し、左右外側となる外周壁に、帯状をなし、和服用生地同様色・柄のプリントを表面がわに施した通気・防水性の柔軟性撥水生地からなる帯状布５の基端を、接着剤または熱熔着によって結合し、該帯状布５遊端の該ループ面ファスナー５０に対峙可能とした裏面にフック面ファスナー５１を接着剤または熱熔着によって積層状に結合し、該左右開閉羽根部７，７の上端角縁間に、前一文字状に配する緊締用足首ベルト５としてなるものとしてある。
【００２６】
（実施例１の作用・効果）
以上のとおりの構成からなるこの考案の和装草履用雨具１は、図１１および図１２に示すように、軽量・コンパクトに折り畳み、ハンドバッグなどに収納して携行することができ、急な降雨に遭遇した場合などに、素早く取り出して着用することが可能なものであり、図１２および図１３に示すように、着用者Ｈは、アッパーカバー３開閉羽根部７の線ファスナー７２を爪先部３０まで全開にして、対象和装用草履Ｚを履いたまま、同対象和装用草履Ｚ底革Ｚ０を防水インソール器６の底上面に接して同対象和装用草履Ｚが、該防水インソール器６内に没する状態に装着した上、着用者Ｈの趾骨Ｈ０、踵骨Ｈ１、外果Ｈ２・内果Ｈ３および足首Ｈ４までを覆うように、アッパーカバー３の爪先部３０、甲部３１、左右側部３２，３２、踵部３３および履き口３４の各部を引き上げるようにして、左右開閉羽根部７，７を趾骨Ｈ０の上および足首Ｈ４の前に合わせるよう引き寄せ、線ファスナー７２のスライダーを履き口３４まで引き上げた上、足首ベルト５を閉じ合わせてループ面ファスナー５０およびフック面ファスナー５１を仮止め結合するようにして簡単・迅速に着用し、対象和装用草履Ｚ、足袋Ｚ１を雨水などから保護することができ、しかも通気性を確保して蒸れを防止し、快適に着用および歩行することができる。
【００２７】
また、この考案の和装草履用雨具１は、図１４および図１５に示すような和装草履用雨具１と共に利用すると、より優れた防水効果が得られる。
即ち、この振り袖和装用雨具９は、例えば、表面がわに和服用生地同様色・柄のプリントを施した通気・防水性の柔軟性撥水生地からなり、振り袖を着用した人体Ｈの胴囲寸法、および腰から裾までの寸法を、例えば、スモール・ミディアム・ラージなどの複数のサイズの中、最も大きなラージサイズに相当する寸法に設定し、上下端を開口した概略筒型の雨具本体９０からなり、該雨具本体９０の前左右間中央に、Ｚ字状に折り重ねて着物の外観形状に倣った合わせ部９１を設定し、該合わせ部９１の重ね代幅の大小を調節することによって胴囲寸法を各サイズに合わせることができるものとし、さらに、該雨具本体９０の上端近傍の外周面には、腰回りに略均衡するよう点在する複数箇所の夫々に、例えば上・中・下などの複数個のループ部を有して、腰から裾までの長さを調節可能なものとする所定ループ幅の帯通し９２，９２，……を、縫合、接着剤または熱熔着によって結合したものとする。
【００２８】
そして、それら帯通し９２，９２，……にウェストベルトや腰紐９４などを挿し通して腰位置で固定可能なものとし、雨具本体９０の外面左右夫々の、帯通し９２，９２，……の直下付近から裾付近に至る範囲に、振り袖を収容するに充分な前後幅、および上下長に設定し、表面がわに和服用生地同様色・柄のプリントを施した通気・防水性の柔軟性撥水生地からなる左右の振り袖ポケット９３，９３を、ポケット上端が開口するよう、水平方向両端縁の上下端間略全長および下端縁全長に渡って、縫合、接着剤または熱熔着によって結合してなるものとして振り袖和装用雨具９とするようにしたものである。
【００２９】
該振り袖和装用雨具９は、適宜コンパクトに折り畳み可能なものとし、それ専用か、この考案の和装草履用雨具１と共に収納可能になるよう工夫して嵩張らないようにした布製やプラスチックシート製その他の適宜ケースに収納し、当該和装草履用雨具１と共に携帯するようにし、降雨や降雪などの荒天に遭遇した折に、対象和装用草履Ｚや足袋Ｚ１だけでなく、着物の裾および着用者Ｈの足首Ｈ４周辺までを保護、防水するようにして併用すれば、着用者の足元の通気性を充分に確保して蒸れを防ぐこととなり、より快適な和服の着用を可能なものとすることとなって、天候を気にすることなく、我が国伝統の和装を取り入れての様々な行事への参加が可能になるといえる。
【００３０】
（結  び）
叙述の如く、この考案の和装草履用雨具は、その新規な構成によって所期の目的を遍く達成可能とするものであり、しかも製造も容易で、従前からの靴類用の雨具類の技術に比較して、和装用の草履に特化した特徴的構造としたから、従来型の雨具類では代用するのが難しく、しかも従前までの靴類用雨具類の素材に比較して格段に軽量な通気・防水性の柔軟性撥水生地を用いたから容易に携帯でき、しかも熱熔着によって製造したものは、耐久強度に優れ、低廉化して遥かに経済的なものとすることができる上、折り畳んで気軽に携行することができ、突然の悪天候にも即座に取り出して着用し、和服の足下を雨水や雪解け水などから保護することができるから、成人式や様々な祭事など各種行事に和装で赴く際に、足下を濡らしたり、汚してしまったりするのを心配する人々はもとより、着物業界、履物業界および雨具業界においても高く評価され、広範に渡って利用、普及していくものになると予想される。                                                                    
【符号の説明】
【００３１】
１      和装草履用雨具
１０    同  防水カバー本体
２      ミッドソール
３      アッパーカバー
３０    同  爪先部
３１    同  甲部
３２    同  左右側部
３３    同  踵部
３４    同  履き口
４      熱熔着・防水加工部（帯状結合部分）
５      足首ベルト
５０    同  ループ面ファスナー
５１    同  フック面ファスナー
６      防水インソール器
７      開閉羽根部
７０    同  密閉・開閉機構
７１    同  フラップ
７２    同  線ファスナー
８      アウトソール
９      振り袖和装用雨具
９０    同  雨具本体
９１    同  合わせ部
９２    同  帯通し
９３    同  振り袖ポケット
９４    同  腰紐
Ｚ      対象和装用草履
Ｚ０    同  底革
Ｚ１    同  足袋
Ｈ      人体（着用者）
Ｈ０    同  趾骨
Ｈ１    同  踵骨
Ｈ２    同  外果
Ｈ３    同  内果
Ｈ４    同  足首
【図１】
0003205559.tif 000003
【図２】
0003205559.tif 000004
【図３】
0003205559.tif 000005
【図４】
0003205559.tif 000006
【図５】
0003205559.tif 000007
【図６】
0003205559.tif 000008
【図７】
0003205559.tif 000009
【図８】
0003205559.tif 000010
【図９】
0003205559.tif 000011
【図１０】
0003205559.tif 000012
【図１１】
0003205559.tif 000013
【図１２】
0003205559.tif 000014
【図１３】
0003205559.tif 000015
【図１４】
0003205559.tif 000016
【図１５】
0003205559.tif 000017